(57)【要約】【課題】インストルメントパネルに対してロック・アンロックするロック装置を備えていても、見栄えの良いグローブボックスを提供すること。【解決手段】グローブボックス１は、インストルメントパネル２に設けられた開口２ａを開閉可能にヒンジ３ａ結合されたグラブドア３と、このグラブドア３が開口２ａを閉じた閉位置にあるとき、このグラブドア３をインストルメントパネル２に対してロック・アンロックするロック装置４と、を備えている。このグローブボックス１は、開口２ａを閉ざした閉位置にあるグラブドア３を押し込むとロック装置４をロック・アンロックさせるプッシュオープン機構５を備えている。【選択図】図５
2014104800.tif 000002
【特許請求の範囲】
【請求項１】
インストルメントパネルに設けられた開口を開閉可能にヒンジ結合されたグラブドアと、このグラブドアが開口を閉じた閉位置にあるとき、このグラブドアをインストルメントパネルに対してロック・アンロックするロック装置と、を備えたグローブボックスであって、
開口を閉ざした閉位置にあるグラブドアを押し込むとロック装置をロック・アンロックさせるプッシュオープン機構を備えていることを特徴とするグローブボックス。
【発明の詳細な説明】
【技術分野】
【０００１】
本発明は、グローブボックスに関する。
【背景技術】
【０００２】
この種のグローブボックスとして、例えば、特許文献１に開示される技術が既に知られている。この技術では、グローブボックスは、助手席の向かいのインストルメントパネルに設けられた開口を開閉可能にヒンジ結合されたグラブドアと、このグラブドアが開口を閉じた閉位置にあるとき、このグラブドアをインストルメントパネルに対してロック・アンロックするロック装置とから構成されている。そして、ロック装置をアンロック（ロック解除）してインストルメントパネルの開口を開けた開位置にグラブドアを回動させると（グラブドアを開けると）、インストルメントパネルの開口の内側（または、グラブドアの内面）に形成されているボックスに物品を収納できる。
【先行技術文献】
【特許文献】
【０００３】
【特許文献１】特開２００５−１０４１９２号公報
【発明の概要】
【発明が解決しようとする課題】
【０００４】
しかしながら、上述した特許文献１の技術では、ロック装置をアンロックする取っ手は、グラブドアの意匠面上に配置されている。このように意匠面上に配置されていると、例えば、取っ手がプルタイプの場合、この取っ手を引くためのワークスペースが必要となるため、グラブドアの意匠面に開口を形成する必要があった。また、例えば、取っ手がプッシュタイプの場合、この取っ手の配置によりグラブドアの見切りラインを折る必要があるため、グラブドアの角に切欠が形成されてしまうことがあった。したがって、取っ手がいずれのタイプ（プルタイプまたはプッシュタイプ）でも、グラブドアの見栄えが悪くなることがあった。
【０００５】
本発明は、このような課題を解決しようとするもので、その目的は、インストルメントパネルに対してロック・アンロックするロック装置を備えていても、見栄えの良いグローブボックスを提供することを課題とする。
【課題を解決するための手段】
【０００６】
本発明は、上記の目的を達成するためのものであって、以下のように構成されている。
請求項１に記載の発明は、インストルメントパネルに設けられた開口を開閉可能にヒンジ結合されたグラブドアと、このグラブドアが開口を閉じた閉位置にあるとき、このグラブドアをインストルメントパネルに対してロック・アンロックするロック装置と、を備えたグローブボックスであって、開口を閉ざした閉位置にあるグラブドアを押し込むとロック装置をロック・アンロックさせるプッシュオープン機構を備えていることを特徴とする構成である。
この構成によれば、インストルメントパネルの開口を閉じた閉位置にあるグラブドアがインストルメントパネルに対してロック状態にあるとき、このグラブドアを押し込むと、ロック装置がロック状態からアンロック状態に切り替わる。これと逆に、インストルメントパネルの開口を閉じた閉位置にあるグラブドアがインストルメントパネルに対してアンロック状態にあるとき、このグラブドアを押し込むと、ロック装置がアンロック状態からロック状態に切り替わる。そのため、従来技術で説明したように、取っ手を必要とすることなく、ロック装置をロック・アンロックさせることができる。したがって、グラブドアの意匠面に開口を形成する必要やグラブドアに見切りラインを折る必要がないため、グローブボックスの見栄えを良くできる。
【図面の簡単な説明】
【０００７】
【図１】本発明の実施例に係るグローブボックスの全体斜視図である。
【図２】図１のグラブドアを開けた状態を示す図である。
【図３】図２のグラブドアを内側から見た斜視図である。
【図４】図３の分解斜視図である。
【図５】グラブドアの動作を示す模式図であり、グラブドアが開口を閉じてロック装置がグラブドアをロックした状態を示す図である。
【図６】図５に示す状態から、グラブドアを押し込んだ状態を示す図である。
【図７】図６に示す状態から、グラブドアの押し込みを解消した状態を示す図であり、ロック装置のアンロック状態を示す図である。
【図８】図７に示す状態から、グラブドアを開けている途中状態を示す図である。
【図９】図８に示す状態から、グラブドアを開けた状態を示す図である。
【図１０】図９に示す状態から、グラブドアを閉じた状態を示す図である。
【図１１】図１０に示す状態から、グラブドアを押し込んだ状態を示す図である。
【図１２】図１１に示す状態から、さらに、グラブドアを押し込んだ状態を示す図である。
【図１３】図１２に示す状態から、グラブドアが開口を閉じてロック装置がグラブドアをロックした状態を示す図である。
【図１４】図１１において、カムレバーの近傍をアウタドアの内側から見た模式図である。
【図１５】図１２において、カムレバーの近傍をアウタドアの内側から見た模式図である。
【図１６】図１３において、カムレバーの近傍をアウタドアの内側から見た模式図である。
【発明を実施するための形態】
【０００８】
以下、本発明を実施するための形態を、図１〜１６を用いて説明する。まず、図１〜４を参照して、本発明の実施例に係るグローブボックス１の全体構成を説明する。このグローブボックス１は、主として、グラブドア３と、ロック装置４と、プッシュオープン機構５とから構成されている。以下に、これらグラブドア３と、ロック装置４と、プッシュオープン機構５とを個別に説明していく。
【０００９】
はじめに、グラブドア３から説明していく。グラブドア３は、助手席（図示しない）の向かいのインストルメントパネル２に設けられた開口２ａを塞ぎ可能に形成された樹脂製のインナドア１０と、このインナドア１０の意匠面を成す樹脂製のアウタドア２０とから構成されている。これらインナドア１０とアウタドア２０とは、後述するロック装置４とプッシュオープン機構５とをインナドア１０とアウタドア２０とが挟み込む格好を成すように、振動溶着によって組み付けられている。
【００１０】
そして、これらインナドア１０とアウタドア２０とから構成されるグラブドア３は、その左右の下端がインストルメントパネル２の開口２ａの左右の縁にヒンジ３ａによって結合されている。これにより、インストルメントパネル２に対してグラブドア３を回動させて開口２ａを開けた開位置と開口２ａを閉めた閉位置とに切り替えることができるため、インストルメントパネル２の開口２ａの内側に形成のボックスに物品（いずれも図示しない）を収納できる。
【００１１】
次に、ロック装置４を説明する。ロック装置４は、左右に対を成すスライドロッド３０、３２と、このスライドロッド３０、３２の各基端に対して連結された連結部材４０とから構成されている。スライドロッド３０、３２は、その各先端がグラブドア３（この例では、インナドア１０）の左右から進退可能となるように、アウタドア２０の内面に形成のガイド孔２２、２４を介してスライド可能に組み付けられている。このとき、右のスライドロッド３２は、常時、その先端がグラブドア３の右側から進出した状態となるように、引っ張りばね３２ｂを介して組み付けられている。
【００１２】
また、連結部材４０は、アウタドア２０の内面に段付スクリュ４２を介して組み付けられている。そして、スライドロッド３０、３２の各基端に形成されている枢着ピン３０ａ、３２ａは、連結部材４０の両端に形成されている差込孔４０ａ、４０ａに差し込まれている。これにより、一方のスライドロッド３０をスライドさせると、このスライドに同期（進退に連動）して他方のスライドロッド３２もスライドさせることができる。
【００１３】
そのため、左のスライドロッド３０も、常時、その先端がグラブドア３の左側から進出した状態となっている。したがって、グラブドア３がインストルメントパネル２の開口２ａを閉じた閉位置にあるとき、左右のスライドロッド３０、３２の各先端がグラブドア３の左右から進出してインストルメントパネル２の開口２ａの縁の左右に形成されている引掛孔２ｂ、２ｂに引っ掛かった状態になると、グラブドア３がインストルメントパネル２に対してロックされた状態となる。このロックされた状態をロック装置４のロック状態と記すこととする。
【００１４】
一方、このロック状態から、左右のスライドロッド３０、３２の各先端の引掛孔２ｂ、２ｂに対する引っ掛かりを解消した状態になると、すなわち、左右のスライドロッド３０、３２の各先端がグラブドア３の左右に退行した状態に戻されると、グラブドア３がインストルメントパネル２に対してアンロックされた状態となる。このアンロックされた状態をロック装置４のアンロック状態と記すこととする。
【００１５】
なお、スライドロッド３０、３２の枢着ピン３０ａ、３２ａの連結部材４０の差込孔４０ａ、４０ａに対する差し込みは、この差し込んだ枢着ピン３０ａ、３２ａが差込孔４０ａ、４０ａから抜けることを防止する抜け防止構造を備えたものとなっている。ここで、この抜け防止構造を詳述すると、枢着ピン３０ａの外周面には、一対の突起３０ｂ、３０ｂが形成されている。
【００１６】
この一対の突起３０ｂ、３０ｂは、互い（一対の突起３０ｂ、３０ｂ）を結ぶ方向がスライドロッド３０の長手方向に対して略一致するように形成されている。一方、差込孔４０ａの内周面にも、この一対の突起３０ｂ、３０ｂに嵌め込み可能な一対の切欠４０ｂ、４０ｂが形成されている。この一対の切欠４０ｂ、４０ｂも、互い（一対の切欠４０ｂ、４０ｂ）を結ぶ方向が連結部材４０の長手方向に対して略一致するように形成されている。
【００１７】
なお、スライドロッド３０と連結部材４０とをアウタドア２０の内面に組み付けたとき、スライドロッド３０と連結部材４０とは略直交する状態となっている（図４参照）。そのため、枢着ピン３０ａが差込孔４０ａから抜け落ちることを防止できる。これらのことは、スライドロッド３２においても同様である。
【００１８】
最後に、プッシュオープン機構５を説明する。プッシュオープン機構５は、ノブ５０と、このノブ５０に押し当てられる略Ｌ字状に形成されたアーム６０と、カムレバー７０とから構成されている。ノブ５０は、インストルメントパネル２の開口２ａの上縁に形成されている突起２ｃが押し当てられると、アウタドア２０側に向けて押し込まれるようにインナドア１０の内面に形成されている差込孔１２に対してノブ５０自身に形成されている長孔５０ａに差し込まれたシャフト５２を介して組み付けられている。
【００１９】
アーム６０は、アウタドア２０の内面に形成されている第１のボス２６に段付スクリュ６２を介して枢着されている。このとき、アーム６０の先端に形成されているピン６０ａは、左のスライドロッド３０から張り出すように形成されたブラケット３０ｄに差し込まれた状態となっている。これにより、ノブ５０がインストルメントパネル２の突起２ｃに押し当てられると、アーム６０の回動を介して左のスライドロッド３０をその先端がグラブドア３の左側から退行するようにスライドさせることができる。
【００２０】
カムレバー７０は、カムレバー本体７２と、このカムレバー本体７２の先端に形成されたカム７４とから構成されている。このカム７４の内側には、左のスライドロッド３０に形成されているガイドピン３０ｃを案内可能なカム溝７４ａと、このカム溝７４ａから外周カム面７４ｃへと連通する傾斜溝７４ｂとが形成されている。
【００２１】
このカムレバー７０は、アウタドア２０の内面に形成されている第２のボス２８に段付スクリュ７６を介して枢着されている。このとき、カムレバー７０と第２のボス２８とは、段付スクリュ７６を介したトーションばね７０ａが掛け留めされている。これにより、常時、カムレバー７０をカム７４が左のスライドロッド３０のガイドピン３０ｃをロックする方向（後述する図５において、矢印Ａ方向）に付勢できる。
【００２２】
これらグラブドア３と、ロック装置４と、プッシュオープン機構５とからグローブボックス１は構成されている。
【００２３】
続いて、図５〜１６を参照して、このグローブボックス１の作用を説明する。この説明にあたって、閉位置にあるグラブドア３の開け操作と、開位置にあるグラブドア３の閉じ操作とを個別に説明することとする。
【００２４】
まず、閉位置にあるグラブドア３の開け操作から説明していく。図５に示すように、閉位置にあるグラブドア３はロックされた状態となっている。すなわち、ロック装置４がロック状態となっている。この状態から、乗員がグラブドア３を１度だけ押し込むと（１プッシュすると）、図６に示すように、ノブ５０に対してインストルメントパネル２の突起２ｃが押し当てられるため、突起２ｃの押し当てによってノブ５０はアウタドア２０側に向けて押し込まれる。
【００２５】
これにより、押し込まれたノブ５０はアーム６０を回動させるため、左のスライドロッド３０は、その先端がグラブドア３の左側から退行するようにスライドしていく。このとき、左右のスライドロッド３０、３２は同期してスライドするため、このスライドと同時に、右のスライドロッド３２も、引っ張りばね３２ｃの付勢力に抗して、その先端がグラブドア３の右側から退行するようにスライドしていく。
【００２６】
そのため、ロック装置４はロック状態からアンロック状態に切り替わる。また、このとき、左のスライドロッド３０のガイドピン３０ｃがカムレバー７０のカム７４の外周カム面７４ｃを押し当てるため、カムレバー７０は、トーションばね７０ａの付勢力に抗して回動していく。
【００２７】
やがて、ガイドピン３０ｃが外周カム面７４ｃの先端を乗り越えると、カムレバー７０は、トーションばね７０ａの付勢力によって回動していく。これにより、ガイドピン３０ｃは、カムレバー７０のカム溝７４ａに案内される。そのため、案内されたガイドピン３０ｃは、引っ張りばね３２ｃの付勢力によってカム７４の内周カム面７４ｄを押し当てる。したがって、押し当てたガイドピン３０ｃは内周カム面７４ｄの窪み７４ｅに嵌り込む。
【００２８】
このように嵌り込むと、ロック装置４はアンロック状態のまま保持される（図７参照）。したがって、グラブドア３は、グラブドア３の自重によってインストルメントパネル２の開口２ａが開いた開位置から開口２ａが閉じた閉位置へと切り替わる（図８参照）。このようにして閉位置にあるグラブドア３を開けることができる。
【００２９】
次に、開位置にあるグラブドア３の閉じ操作を説明する。図９に示すように、開位置にあるグラブドア３は、ロック装置４がアンロック状態となっている。この状態から、図１０に示すように、乗員はグラブドア３を開位置から閉位置に戻すように切り替える（回動させる）。この閉位置に戻した状態から、乗員がグラブドア３を押し込むと、ノブ５０に対してインストルメントパネル２の突起２ｃが押し当てられるため、突起２ｃの押し当てによってノブ５０はアウタドア２０側に向けて押し込まれる。
【００３０】
これにより、押し込まれたノブ５０はアーム６０を回動させるため、左のスライドロッド３０は、その先端がグラブドア３の左側から退行するようにスライドしていく。このとき、左右のスライドロッド３０、３２は同期してスライドするため、このスライドと同時に、右のスライドロッド３２も、引っ張りばね３２ｃの付勢力に抗して、その先端がグラブドア３の右側から退行するようにスライドしていく。
【００３１】
この左のスライドロッド３０のスライドにより、ガイドピン３０ｃの窪み７４ｅに対する嵌り込みが解消する（図１１、図１４参照）。そのため、カムレバー７０は、トーションばね７０ａの付勢力に抗して回動していく。したがって、嵌り込みが解消したガイドピン３０ｃは、カムレバー７０の傾斜溝７４ｂに案内される。すると、ガイドピン３０ｃは、引っ張りばね３２ｃの付勢力によって傾斜溝７４ｂを乗り越えていく（図１２、図１５参照）。このとき、傾斜溝７４ｂを撓ませながら、すなわち、カムレバー７０を撓ませながら乗り越えていく。
【００３２】
やがて、図１３、図１６に示すように、ガイドピン３０ｃが傾斜溝７４ｂを乗り越えると、左右のスライドロッド３０、３２も、その各先端がグラブドア３の左右から進出してインストルメントパネル２の開口２ａの縁の左右に形成されている引掛孔２ｂ、２ｂに引っ掛かった状態に戻されるため、ロック装置４もロック状態に戻される。このようにして開位置にあるグラブドア３を閉じることができる。
【００３３】
本発明の実施例に係るグローブボックス１は、上述したように構成されている。この構成によれば、インストルメントパネル２の開口２ａを閉じた閉位置にあるグラブドア３がインストルメントパネル２に対してロック状態にあるとき、このグラブドア３を押し込むと、ロック装置４がロック状態からアンロック状態に切り替わる。これと逆に、インストルメントパネル２の開口２ａを閉じた閉位置にあるグラブドア３がインストルメントパネル２に対してアンロック状態にあるとき、このグラブドア３を押し込むと、ロック装置４がアンロック状態からロック状態に切り替わる。そのため、従来技術で説明したように、取っ手を必要とすることなく、ロック装置４をロック・アンロックさせることができる。したがって、グラブドア３の意匠面に開口を形成する必要やグラブドア３に見切りラインを折る必要がないため、グローブボックス１の見栄えを良くできる。
【符号の説明】
【００３４】
１      グローブボックス
２      インストルメントパネル
２ａ    開口
３      グラブドア
３ａ    ヒンジ
４      ロック装置
５      プッシュオープン機構
【図１】
2014104800.tif 000003
【図２】
2014104800.tif 000004
【図３】
2014104800.tif 000005
【図４】
2014104800.tif 000006
【図５】
2014104800.tif 000007
【図６】
2014104800.tif 000008
【図７】
2014104800.tif 000009
【図８】
2014104800.tif 000010
【図９】
2014104800.tif 000011
【図１０】
2014104800.tif 000012
【図１１】
2014104800.tif 000013
【図１２】
2014104800.tif 000014
【図１３】
2014104800.tif 000015
【図１４】
2014104800.tif 000016
【図１５】
2014104800.tif 000017
【図１６】
2014104800.tif 000018